(57)【要約】【課題】沈胴状態における撮影レンズ光軸方向の長さの短縮化が可能なレンズ鏡筒を提供する。【解決手段】沈胴可能なレンズ鏡筒は、光軸Ｏを有する一群レンズおよび二群レンズと、固定枠と、光軸Ｏに対して斜行するカム溝５ａと５ｃとを有しており、進退、回転駆動されるカム枠５と、一群レンズを保持し、カム溝５ａに嵌合するカムフォロアを備え、進退駆動される一群枠と、二群レンズを保持し、カム溝５ｃに嵌合するカムフォロア３９を備え、進退駆動される二群枠とをからなり、カム溝５ｃは、撮影可能な回転範囲で隙間の少ない溝幅と沈胴回転位置における隙間の大きい溝幅と有しており、上記レンズ鏡筒が沈胴状態にあるとき、カムフォロア３６がカム溝５ｃの隙間を沈胴方向に移動可能とする。【選択図】図２０
2010266679.tif 000002
【特許請求の範囲】
【請求項１】
沈胴可能なレンズ鏡筒において、
複数のレンズ群および該レンズ群からなる光軸を有する撮影光学系と、
固定枠部材と、
上記レンズ群光軸に対して斜行する第一のカム溝と第二のカム溝とを有しており、上記固定枠部材に対して相対的に進退、回転駆動されるカム枠部材と、
上記複数のレンズ群のうち、前方側の第一のレンズ群を保持し、上記第一のカム溝に摺動可能に嵌合する第一のカムフォロアを有しており、回転規制された状態でカム枠部材により上記第一のカムフォロアを介して進退駆動される第一の枠部材と、
上記複数のレンズ群のうち、後方側の第二のレンズ群を保持し、上記第二のカム溝に摺動可能に嵌合する第二のカムフォロアを備えており、回転規制された状態でカム枠部材により上記第二のカムフォロアを介して進退駆動される第二の枠部材と、
を備えており、上記第二のカム溝は、上記カム枠部材が撮影可能な回転位置にあるとき、第二のカムフォロアに対してレンズ群光軸方向に隙間の少ない嵌合状態にあり、上記カム枠部材が沈胴回転位置にあるとき、レンズ群光軸方向に隙間の大きい嵌合状態になるカム溝形状を有しており、当該レンズ鏡筒が沈胴状態にあって、上記第一の枠部材と上記第二の枠部材とが接触した場合、上記第二のカムフォロアが上記第二のカム溝の上記隙間を沈胴方向に移動可能であることを特徴とするレンズ鏡筒。
【請求項２】
上記複数のレンズ群のうち、上記第二のレンズ群の後方側にて第三のレンズ群を保持し、回転規制された状態で支持され、進退駆動される第三の枠部材と、
上記第二の枠部材と上記第三の枠部材との間に介在し、該枠部材をレンズ群光軸方向に離反する方向に付勢する付勢部材と、
をさらに備えた請求項１に記載のレンズ鏡筒。
【請求項３】
上記付勢部材は、円錐コイルバネ部材からなり、圧縮状態で大径側座巻き部のコイル部が径方向で重なる状態を防止するために上記大径側座巻き部の端部が内径側に折り曲げられていることを特徴とする請求項２に記載のレンズ鏡筒。
【請求項４】
上記複数のレンズ群としての上記第一のレンズ群は、一枚の負屈折力レンズと一枚の正屈折力レンズとからなり、上記第二のレンズ群は、負屈折力レンズ群と正屈折力のレンズ群とからなり、上記第三のレンズ群は、正屈折力レンズ群と負屈折力のレンズ群とからなり、さらに、フォーカスレンズ群として、一枚の正屈折力のレンズからなる第四のレンズ群を備えていることを特徴とする請求項２に記載のレンズ鏡筒。
【請求項５】
請求項１記載のレンズ鏡筒と、
固定枠部材に固定支持されるベース部材と、
手ブレ補正を行うために上記ベース部材上に上記撮像光学系の光軸と直交する面上に変位可能に支持され、上記撮影光学系により結像された被写体像電気信号に変換するための撮像素子と、
上記撮像素子を上記撮影光学系の光軸と直交する面上を変位駆動するための撮像素子変位駆動アクチュエータと、
を備えたことを特徴とする撮像装置。
【請求項６】
上記撮像素子を変位駆動アクチュエータの外装色と、上記固定枠部材および撮像ベース板の外装色とを異色とすることを特徴とする請求項５記載の撮像装置。
【発明の詳細な説明】
【技術分野】
【０００１】
本発明は、沈胴可能なレンズ鏡筒、および、該レンズ鏡筒を適用する撮像装置に関する。
【背景技術】
【０００２】
従来、小型化が可能なレンズ鏡筒として特許文献１に開示されたものは、製造コストの低減化、および、沈胴状態におけるレンズ光軸方向の短縮化を図り、かつ、耐衝撃性の向上を可能にするものとして提案されている。
【０００３】
この従来のレンズ鏡筒１１３は、図２３の沈胴状態の断面図に示すように主に、カメラ外装部に固定されるマスターフランジ１１０と、マスターフランジ１１０に固定されるズームモータと、各枠体をマスターフランジ１１０との間に収容する固定枠１２０と、ズームモータの駆動力によって駆動される駆動枠１３０と、固定枠１２０により撮影レンズの光軸Ｏ方向に移動可能に支持されるカム枠１４０と、駆動枠１３０とともに回転する回転カム枠１７０と、固定枠１２０に対して回転することなく光軸Ｏ方向に移動する直進枠１８０と、シャッターユニット１９４とで構成されている。
【０００４】
レンズ鏡筒１１３の撮影光学系は、第一レンズ群Ｇ１と、第二レンズ群Ｇ２と、第三レンズ群Ｇ３と、第四レンズ群Ｇ４と、固定枠１２０の固着される第五レンズ群Ｇ５で構成される。第一レンズ群Ｇ１は、全体として正のパワーを持つ３枚構成のレンズ群である。第二レンズ群Ｇ２は、全体として負のパワーを持つレンズ群である。第一レンズ群Ｇ１および第二レンズ群Ｇ２により、本撮像光学系のズーム倍率を調節することができる。第三レンズ群Ｇ３は、カメラの動きに起因する画像の振れ（像振れ）を補正するためのレンズ群である。第四レンズ群Ｇ４は、焦点を調節するための正のパワーのレンズ群である。第五レンズ群Ｇ５は、正のパワーのレンズである。
【０００５】
駆動枠１３０および回転カム枠１７０は、固定枠１２０に対して回転可能、かつ、光軸Ｏ方向に移動可能であるが、他の部材は固定枠１２０に対して回転することなくＹ軸方向に移動する。マスターフランジ１１０にはＣＣＤユニット１１５が取り付けられている。
【０００６】
このレンズ鏡筒１１３が沈胴状態にあるときは、図２３にように固定枠１２０に対して駆動枠１３０、カム枠１４０、回転カム枠１７０、各レンズ保持枠がそれぞれ光軸Ｏ方向に移動した状態になり、第一レンズ群Ｇ１、第二レンズ群Ｇ２、第三レンズ群Ｇ３、第四レンズ群Ｇ４がそれぞれ極めて接近する位置まで繰り込まれる。これにより、沈胴状態におけるレンズ鏡筒１１３は、光軸Ｏ方向の寸法を短縮することができ、小型化が可能となる。  
【先行技術文献】
【特許文献】
【０００７】
【特許文献１】特開２００８−１８５７８６号公報
【発明の概要】
【発明が解決しようとする課題】
【０００８】
しかしながら、特許文献１に開示されたレンズ鏡筒１１３においては、沈胴状態にあるとき、上述したように第一レンズ群Ｇ１、第二レンズ群Ｇ２、第三レンズ群Ｇ３、第四レンズ群Ｇ４がそれぞれ接近する位置まで繰り込まれるが、上記各構成枠部材には製造上の寸法のバラツキ、あるいは、形状的なバラツキは避けられない。従って、上記構成枠部材の各繰り込み位置は、上記バラツキを考慮し、余裕を持たせた繰り込み位置が限度となり、レンズ鏡筒の沈胴状態での光軸Ｏ方向の長さの十分な短縮化が望めない。
【０００９】
また、上述したレンズ鏡筒１１３の撮影光学系においては、正のパワーの第五レンズ群Ｇ５の存在により、ＣＣＤの撮像面に入射する光線を垂直に近づけやすくでき、撮影画面の周辺部のかげり、いわゆる、シェ一ディングを防ぎやすいといったメリットを有する。しかし、ズームレンズを沈胴収納した際の薄型化には不利となる。つまり、ズームレンズの沈胴収納のために、第四レンズ群Ｇ４をＣＣＤに近づけようとしても第五レンズ群Ｇ５との干渉により第四レンズ群Ｇ４の移動量が制限されることとなる。加えて、第五レンズ群Ｇ５が正のパワーを持つために十分に大きな正のパワーを第四レンズ群Ｇ４に持たせにくくなる。そのため、第四レンズ群Ｇ４をフォーカシングやズーミングのために移動させる場合、その機能を第四レンズ群Ｇ４に十分に担わせるためには第四レンズ群Ｇ４の移動量が大きくなってしまう。例えば、第四レンズ群Ｇ４を移動させるためのネジ山を設けたシャフトの長大化など、第四レンズ群Ｇ４の移動ための機構が大型化し、やはり、沈胴収納時の薄型化に不利となる。加えて、第一レンズ群Ｇ１が３枚構成であり、沈胴状態のレンズ鏡筒１１３の薄型化には不利となる。
【００１０】
本発明は、上述の不具合を解決するためになされたものであり、沈胴状態における撮影レンズ光軸方向の長さの短縮化が可能なレンズ鏡筒、および、該レンズ鏡筒を適用する撮像装置を提供することを目的とする。
【課題を解決するための手段】
【００１１】
上記課題を解決するために本発明のレンズ鏡筒は、沈胴可能なレンズ鏡筒において、複数のレンズ群および該レンズ群からなる光軸を有する撮影光学系と、固定枠部材と、上記レンズ群光軸に対して斜行する第一のカム溝と第二のカム溝とを有しており、上記固定枠部材に対して相対的に進退、回転駆動されるカム枠部材と、上記複数のレンズ群のうち、前方側の第一のレンズ群を保持し、上記第一のカム溝に摺動可能に嵌合する第一のカムフォロアを有しており、回転規制された状態でカム枠部材により上記第一のカムフォロアを介して進退駆動される第一の枠部材と、上記複数のレンズ群のうち、後方側の第二のレンズ群を保持し、上記第二のカム溝に摺動可能に嵌合する第二のカムフォロアを備えており、回転規制された状態でカム枠部材により上記第二のカムフォロアを介して進退駆動される第二の枠部材と、を備えており、上記第二のカム溝は、上記カム枠部材が撮影可能な回転位置にあるとき、第二のカムフォロアに対してレンズ群光軸方向に隙間の少ない嵌合状態にあり、上記カム枠部材が沈胴回転位置にあるとき、レンズ群光軸方向に隙間の大きい嵌合状態になるカム溝形状を有しており、当該レンズ鏡筒が沈胴状態にあって、上記第一の枠部材と上記第二の枠部材とが接触した場合、上記第二のカムフォロアが上記第二のカム溝の上記隙間を沈胴方向に移動可能である。
【００１２】
本発明の撮像装置は、上記レンズ鏡筒と、上記固定枠部材に固定支持されるベース部材と、手ブレ補正を行うために上記ベース部材上に上記撮像光学系の光軸と直交する面上に変位可能に支持され、上記撮影光学系により結像された被写体像電気信号に変換するための撮像素子と、上記撮像素子を上記撮影光学系の光軸と直交する面上を変位駆動するための撮像素子変位駆動アクチュエータとを備えている。
【発明の効果】
【００１３】
本発明によると、沈胴状態における撮影レンズ光軸方向の長さの短縮化が可能なレンズ鏡筒および該レンズ鏡筒を適用した撮像装置を提供することができる。
【図面の簡単な説明】
【００１４】
【図１】本発明の一実施形態の撮像装置におけるレンズ鏡筒の一部を示す分解斜視図
【図２】図１のレンズ鏡筒の他の一部を示す分解斜視図
【図３】図１のレンズ鏡筒における三群枠とシャッタユニットの分解斜視図
【図４】図１のレンズ鏡筒における固定枠と四群枠とフォーカス駆動ユニットの分解斜視図である。
【図５】図１のレンズ鏡筒におけるブレ補正撮像ユニットの斜視図
【図６】図１のレンズ鏡筒の沈胴状態におけるレンズ光軸を含む縦断面図
【図７】図１のレンズ鏡筒の撮影可能なワイド状態におけるレンズ光軸を含む縦断面図
【図８】図１のレンズ鏡筒の撮影可能なテレ状態におけるレンズ光軸を含む縦断面図
【図９】図１のレンズ鏡筒の沈胴状態におけるレンズ光軸を含む横断面図
【図１０】図１のレンズ鏡筒の正面図
【図１１】図１のレンズ鏡筒の背面図
【図１２】図６のXII−XII断面図であって、四群枠とフォーカス駆動ユニットとズーム駆動ユニットまわりを背面側から見た図
【図１３】図１のレンズ鏡筒の沈胴状態における平面図
【図１４】図１のレンズ鏡筒の沈胴状態における下面図
【図１５】図１のレンズ鏡筒の沈胴状態における右側面図
【図１６】図１のレンズ鏡筒の沈胴状態における左側面図
【図１７】図１のレンズ鏡筒の沈胴状態における左方から見た部分断面図であって、特にフォーカス駆動ユニットの断面を示す図
【図１８】図１のレンズ鏡筒に適用される二、三群枠付勢用円錐コイルバネの斜視図
【図１９】図１８の円錐コイルバネを大径側から見た正面図
【図２０】図１のレンズ鏡筒に適用されるカム枠の内周部のカム溝展開図
【図２１】図２０のXXI−XXI断面図であって、撮影可能状態にある時の二群枠用カム溝のカムフォロアに対する嵌合状態を示す図
【図２２】図２０のXXII−XXII断面図であって、沈胴状態にある時の二群枠用カム溝のカムフォロアに対する嵌合状態を示す図
【図２３】従来のレンズ鏡筒のレンズ光軸を含む縦断面図
【発明を実施するための形態】
【００１５】
本発明の一実施形態の撮像装置となるレンズ鏡筒について、図１〜２２を用いて説明する。
【００１６】
本実施形態のレンズ鏡筒１は、正屈折力をもつ一群レンズ、負屈折力をもつ二群レンズ、正屈折力をもつ三群レンズ、正屈折力をもつ四群レンズ構成の撮影光学系を有し、非撮影状態で各移動鏡枠部材が繰り込まれる沈胴可能なレンズ鏡筒であって、さらに、該光学系の結像平面に移動可能な撮像素子を備えた像ブレ補正機能を有する撮像装置としてデジタルカメラに内蔵可能なものである。
【００１７】
なお、以下の説明において、上記撮像光学系の撮影レンズ光軸を「Ｏ」で示す。該光軸Ｏ方向のうち、被写体側方向を前方とし、結像側方向を後方とする。また、光軸Ｏに直交する方向であって、前面側から見て左右方向をＸ方向とし、特に右方向を＋Ｘ側とする。光軸Ｏに直交する方向であって、上下方向をＹ方向とし、特に上方向を＋Ｙ側とする。光軸Ｏと直交する平面をＸＹ平面とする。
【００１８】
レンズ鏡筒１は、沈胴状態にあるとき、図６に示すように各移動可能な枠部材が後述する固定枠１３側に繰り込まれ、互いが密着に近い状態になり、鏡筒全長が短縮された状態にある。一方、レンズ鏡筒１が撮影可能なズームワイド状態およびズームテレ状態にあるときは、図７，８に示すように各移動可能な枠部材が光軸Ｏ方向前方に繰り出され、後述する一群枠４、カム枠５、回転枠１１等が突出した状態になる。また、レンズ鏡筒１においては、後述する撮像素子９６が光軸Ｏと直交するＸＹ平面上を移動可能に支持されており、撮影時、デジタルカメラ側で検出される手ブレ検出信号に基づき、該手ブレを補正するように撮像素子９６がＸＹ平面上を変位制御される。
【００１９】
レンズ鏡筒１の主要構成部材は、図１，２に示すように光軸Ｏ方向前方側から順次配置されており、後述する一群レンズ２１の前面部を開閉するためのバリアユニット３と、一群レンズ２１を保持する第一の枠部材である一群枠４と、二群レンズ２２を保持する第二の枠部材である二群枠６と、一群枠４および二群枠６を進退駆動するためのカム枠部材であるカム枠５と、後方側にシャッタ・絞りユニット８を備え、三群レンズ２３を保持する第三の枠部材である三群枠７と、上記一、二群枠の回転を規制するための枠部材であるフロートキー９と、カム枠５を進退駆動し、また、三群枠７とフローキー９の回転を規制し移動枠１０と、カム枠５を回転駆動し、また、三群枠７を進退駆動するための回転枠１１と、四群レンズ２４を保持するフォーカスレンズ保持枠である四群枠１２と、回転枠１１を回転進退可能に支持し、移動枠１０の回転を規制するための固定枠部材であり、カメラ本体側に固定保持された固定枠１３と、回転枠１１を回転駆動するズーム駆動ユニット５０と、四群枠１２を進退駆動するフォーカス駆動ユニット６０と、カメラ本体側に固定支持されるベース部材であるベース板１４に組み付けられ、撮像素子９６を保持し、該撮像素子９６を光軸Ｏ方向と直交する平面上を変位駆動するためのブレ補正撮像ユニット９０とを具備している。
【００２０】
固定枠１３は、円筒形状部を有しており、内周部に各枠部材を収容し、背面部にブレ補正撮像ユニット９０のベース板１４が固着される。固定枠１３には、円筒内周部に沿って光軸Ｏ方向に対して斜行する回転枠用カム溝１３ａと、光軸Ｏ方向に沿った移動枠用直進ガイド溝１３ｃおよび四群枠用直進ガイド溝１３ｂと、後述するロングギヤ５４が収納されるギヤ収納凹部１３ｄとが設けられる。また、円筒外周部右側に沿ってズーム駆動ユニット５０が配され、円筒外周部左上にフォーカス駆動ユニット６０が配されている。前面部には遮光リング３５が固着される。
【００２１】
回転枠１１は、円筒形状の枠部材であり、後端部外周が固定枠１３の内周部に回転進退可能な状態で嵌入する。そして、後端部外周にカムフォロア１１ｂが配され、固定枠１３のカム溝１３ａに摺動可能に嵌入する。また、後端部外周の所定の範囲にはロングギヤ５４に噛合するギヤ部１１ａが設けられている。回転枠１１の内周部には光軸Ｏ方向に対して斜行する三群枠用カム溝１１ｃと、カム枠用直進溝１１ｄとが設けられている。
【００２２】
回転枠１１は、ズーム駆動ユニット５０によって駆動されるロングギヤの回転によって回転駆動されると、カム溝１３ａに沿って回転しながら光軸Ｏ方向進退駆動される。なお、回転枠１１の前面外周部には遮光リング３４および飾り環３３が装着されている。
【００２３】
移動枠１０は、円筒形状の枠部材であり、後端部が回転枠１１に対してバヨネット結合され、回転枠１１に対して光軸Ｏ方向には共に進退し、かつ、相対回転可能に支持されている。また、後端部外周に突出するガイドピン１０ｂが固定枠１３の直進ガイド溝１３ｃに係合にしている。従って、移動枠１０は、回転規制状態のもとで回転枠１１とともに進退する。
【００２４】
移動枠１０の円周部には内外周を貫通し、光軸Ｏに対して斜行するカム枠用カム溝１０ｃと、内外周を貫通する三群枠用直進ガイド溝１０ｅと、内周部にフロートキー用直進ガイド溝１０ｆが設けられている。
【００２５】
フロートキー９は、円筒形状の枠部材であり、カム枠５に対して後端部がバヨネット結合しており、カム枠５に対して光軸Ｏ方向には共に進退し、かつ、相対回転可能に支持されている。フロートキー９には後端部外周に突出するガイド突起９ａと、外周部に一群枠用直進ガイド溝９ｃと、内外周を貫通する二群枠用直進ガイド溝９ｂとが設けられている。
【００２６】
フロートキー９のガイド突起９ａは、移動枠１０の直進ガイド溝１０ｆに摺動可能に嵌入する。従って、フロートキー９は、移動枠１０により回転規制された状態のもとでカム枠５とともに光軸Ｏ方向に進退移動可能に支持される。
【００２７】
カム枠５は、円筒形状の枠部材であり、移動枠１０の内周部に嵌入し、回転進退可能に組み込まれている。カム枠５には、後方外周部に突出するカムフォロア５ｄが配され、該カムフォロア５ｄの中心部には、直進ガイドピン３８が外方に突出した状態で嵌入固着される。内周部には同一のカム曲線（カム溝中心軌跡）を有する三対の一群枠用カム溝５ａ，サブカム溝５ｂと、３本の二群枠用カム溝５ｃが設けられている（図２０）。なお、図２０のカム枠展開図において、θは、カム枠５の一群枠４，二群枠６に対する相対回転角を示し、（＋）方向は、沈胴状態からの繰り出し回転方向を示し、（−）方向は、沈胴状態への繰り込み回転方向を示す。
【００２８】
対となる一群枠用カム溝５ａ，サブカム溝５ｂには、それぞれ後述する一群枠４のカムフォロア３６，３７が嵌入し、カム溝５ａ側は、一群枠４の進退駆動用として機能するが、サブカム溝５ｂ側は、一群枠４に衝撃等によりスラスト方向の外力が作用したときの上記カムフォロアの外れ防止用として機能する。なお、図２０に示すようにカム枠５が回転したとき、カムフォロア３６は、相対的にカム溝５ａに対して沈胴状態のカムフォロア３６Cの位置からワイド状態のカムフォロア３６Wの位置を経てテレ状態のカムフォロア３６Tの位置に移動する。同様にカムフォロア３７は、相対的にサブカム溝５ｂに対して沈胴状態のカムフォロア３７Cの位置からワイド状態のカムフォロア３７Wの位置を経てテレ状態のカムフォロア３７Tの位置に移動する。
【００２９】
二群枠用カム溝５ｃは、互いに連通する溝幅の異なるカム溝５ｃａとカム溝５ｃｂとからなる。図２０のXXI−XXI断面図である図２１に示すようにレンズ鏡筒１が撮影状態にあるとき、カム溝５ｃのうちのカム溝５ｃａが後述する二群枠６のワイド状態でのカムフォロア３９Wからテレ状態のカムフォロア３９Tに隙間なく嵌入する。一方、図２０のXXII−XXII断面図である図２２に示すようにレンズ鏡筒１が沈胴状態にあるとき、カム溝５ｃのうちのカム溝５ｃｂが後述する二群枠６の沈胴状態でのカムフォロア３９Cに所定の隙間のある状態で嵌入する。
【００３０】
カムフォロア５ｄは、移動枠１０のカム溝１０ｃに摺動可能に嵌入し、直進ガイドピン３８は、カム溝１０ｃを挿通後、回転枠１１の直進溝１１ｄに摺動可能に嵌入する（図９）。従って、カム枠５は、回転枠１１とともに回転しながら移動枠１０のカム溝１０ｃに沿って光軸Ｏ方向に進退移動可能に支持される。
【００３１】
なお、図８に示すような撮影可能なテレ状態にて、カム枠５が回転枠１１とともに繰り出されているとき、カムフォロア５ｄは、移動枠１０のカム溝１０ｃの前方側の薄肉部位１０ｄ近傍に移動している（図１）。この状態で外部に露出している一群枠４、あるいは、カム枠５に対して前方方向への外力（引張力）が作用したとすると、カムフォロア５ｄを介して移動枠１０の前方側の薄肉部位１０ｄに上記外力が作用して、該薄肉部位１０ｄを破損する可能性がある。しかし、本実施形態においては、上記前方外力を移動枠１０の前端面が回転枠１１の内側段部１１ｅ（図８）に当接する構造を採用していることから上記外力による移動枠１０の薄肉部位１０ｄを破損が防止される。
【００３２】
バリアユニット３は、４枚のバリア羽根３ａを内蔵しており、飾り環２により覆われた状態で一群枠４の前面部に装着される。一群枠４の沈胴位置からの繰り出し動作に伴ってバリア羽根３ａが退避し、一群レンズ２１の前面を開放状態とする。また、一群枠４の撮影位置からの繰り込みに伴ってバリア羽根３ａを閉鎖位置に進入させ、一群レンズ２１の前面を閉鎖状態とする。
【００３３】
一群枠４は、円筒形状の枠部材であり、カム枠５の内周部に回転規制状態で進退可能に嵌入している。この一群枠４は、第一のレンズ群である一群レンズ２１を保持しており、外周部に三対のカムフォロア３６，３７が固着されている。また、内周部にフロートキー９の直進ガイド溝９ｃに摺動可能に嵌入するガイド突部（図示せず）が設けられている。
【００３４】
一群枠４のカムフォロア３６，３７は、カム枠５のカム溝５ａ，サブカム溝５ｂにそれぞれ摺動可能に嵌入しており、一群枠４は、フロートキー９の直進ガイド溝９ｃによって回転規制された状態でカム枠５の回転および進退に伴って進退移動する。なお、カムフォロア３７とサブカム溝５ｂとは、前述したように一群枠４に落下等による外力が作用したときのカムフォロア外れ防止のために備えられている。
【００３５】
二群枠６は、円筒形状の枠部材であり、フロートキー９の内周部に回転規制状態で進退可能に嵌入し、一群枠４の後方側に組み込まれる。この二群枠６は、第二のレンズ群である二群レンズ２２を保持しており、外周部に３つのガイド突部６ａと、ガイド突部６ａの中心から外方に突出する状態でカムフォロア３９が固着されている。
【００３６】
ガイド突部６ａは、フロートキー９の直進ガイド溝９ｂに嵌入して、貫通し、カムフォロア３９をカム枠５のカム溝５ｃに嵌合させる。従って、二群枠６は、カム枠５の回転、進退移動により回転規制状態のもとで進退移動する。
【００３７】
三群枠７は、円筒形状の枠部材であり、フロートキー９の内周部に嵌入し、二群枠６の後方に回転規制状態で進退可能に組み込まれている。この三群枠７は、第三のレンズ群である三群レンズ２３を保持しており、背面側内周部にシャッタ・絞りユニット８を光軸Ｏ方向に相対移動可能に支持している。また、前面側に三群レンズ押さえ板７ａが固着されている。三群枠７の外方に突出した腕部にガイド突部７ｂが設けられ、該ガイド突部にカムフォロア４１が固着されている（図３）。
【００３８】
三群枠７は、ガイド突部７ｂを移動枠１０の直進ガイド溝１０ｅに嵌入させ、貫通後、カムフォロア４１を回転枠１１のカム溝１１ｃに嵌入させて組み付けられる。従って、三群枠７は、回転枠１１の回転に伴って回転規制状態のもとで光軸Ｏ方向に進退移動する。
【００３９】
シャッタ・絞りユニット８には撮影光路を開閉するためのシャッタ羽根２５と、撮影光量の調整を行うための絞り羽根２６が組み込まれている。シャッタ・絞りユニット８と三群枠７と間には、圧縮バネ４２が挿入されており、互いに離反する方向に付勢されている。
【００４０】
レンズ鏡筒１の撮影可能状態では、シャッタ・絞りユニット８と三群枠７とは、所定距離離間しているが、沈胴状態では、四群枠１２によって圧縮バネ４２が圧縮され、互いに略密着する状態になる。上記沈胴状態では、シャッタ羽根２５と、絞り羽根２６とが開放位置に駆動されており、その開放開口部に三群レンズ２３の後部が進入する。これによって、シャッタ・絞りユニット８と三群枠７とのより密着に近い状態が得られる。さらに、四群レンズ２４に極めて近接した状態となる。
【００４１】
二群枠６と三群枠７との間には、二、三群枠付勢用の付勢部材である円錐コイルバネ１８が挿入され、二群枠６と三群枠７とが互いに光軸Ｏ方向に離間するように付勢される（図６〜８）。上述のように二群枠６と三群枠７とが離間するように付勢されていることから、レンズ鏡筒１が撮影可能な状態にあるとき、二群枠６のカムフォロア３９とカム枠５のカム溝５ｃａおよび三群枠７のカムフォロア４１と回転枠１１のカム溝１１ｃのそれぞれの嵌合ガタ詰めがなされ、光軸Ｏ方向のガタのない状態での二群枠６と三群枠７の進退駆動が可能となる。また、沈胴状態でも二群枠６のカムフォロア３９がカム枠５のガタのあるカム溝５ｃｂ中のがたつきが防止される。
【００４２】
なお、円錐コイルバネ１８は、図１８，１９に示す形状を有しており、大径側座巻き部に内径側に折り曲げられた折り曲げ部１８ａが設けられている。二群枠６、三群枠７間に組み込む場合、大径側座巻き部を二群枠６の端面側に当て付けて配置される。レンズ鏡筒１が沈胴状態に繰り込まれた場合、図６に示すように円錐コイルバネ１８は、圧縮され、密着に近い状態になるが、そのとき、折り曲げ部１８ａがあるために大径側座巻き部に対して隣り合う巻き線がは嵌り込んで復元しない状態が防止される。
【００４３】
四群枠１２は、シャッタ・絞りユニット８の後方に回転規制状態で進退可能に配されている。この四群枠１２は、中央開口部に第四のレンズ群である四群レンズ２４を保持しており、外方に延びる二つの腕部を有している。上記一方の腕部にはガイド突部１２ｃが設けられ、他方の腕部にはガイド軸穴１２ａと、送リネジ挿入穴１２ｂと、センサ遮蔽片部１２ｄとが設けられている。
【００４４】
ガイド軸穴１２ａには固定枠１３に支持されるガイド軸６５が摺動可能に嵌入する。また、ガイド突部１２ｃは、光軸Ｏまわりの両幅（周方向）に突出して形成され、光軸Ｏ平行方向に延びる２つの微小円筒突起部からなり（図１２）、固定枠１３の直進ガイド溝１３ｂに摺動可能に嵌入する。従って、四群枠１２は、後述するフォーカス駆動ユニット６０の駆動力により送リネジ６６を介してガイド軸６５および直進ガイド溝１３ｂに沿って光軸Ｏ方向に進退可能に支持される。
【００４５】
なお、ガイド突部１２ｃは、上述のように幅方向２つの微小部分円筒部からなる。
【００４６】
従って、四群枠１２の寸法精度により僅かな光軸Ｏまわりの位置ずれがあったとしても固定枠１３の直進ガイド溝１３ｂに対してガイド突部１２ｃの両円筒幅が当接することから片当たりのない良好な嵌合状態が維持される。
【００４７】
また、四群１２に対して四群レンズ２４の芯調整機構が適用され、例えば、ガイド軸６５に偏心調整機構が組み込まれた場合、上述のようにガイド突部１２ｃが微小部分円筒部で形成されていれば、芯調整による四群枠１２の姿勢変化に対しても直進ガイド溝１３ｂとガイド突部１２ｃとの良好な嵌合状態を維持することができる。なお、ガイド突部１２ｃは、微小部分円筒部に限らず幅方向に突出する２つの微小部分球面部であってもよい。
【００４８】
ズーム駆動ユニット５０は、図２，１２に示すように固定枠１３の円筒外周部右側（図１２では左側）に配されており、ＤＣモータからなるズームモータ５１と、ギヤケース蓋５２と、ギヤ列５３と、ロングギヤ５４とからなる。
【００４９】
ギヤケース蓋５２は、固定枠１３の右側に背面側から固着され、ギヤ列５３、ロングギヤ５４の軸部を支持する軸穴部を備えている。
【００５０】
ズームモータ５１は、固定枠１３に支持され、ベース板１４に装着される後述のＸ駆動モータ７１とＹ駆動モータ８１の間に位置して配されおり、Ｙ方向に沿った出力軸にウォームギヤが固着されている。
【００５１】
ギヤ列５３は、ズームモータ５１のウォームギヤに噛合するウォームホイルと該ウォームホイルに噛合し、ロングギヤ５４に噛合する減速ギヤ列からなる。
【００５２】
ロングギヤ５４は、固定枠１３のギヤ収納凹部１３ｄに光軸Ｏと平行な方向に沿って収納され、回転枠１１のギヤ部１１ａに噛合する。
【００５３】
ズーム駆動ユニット５０において、レンズ鏡筒１の沈胴駆動時およびズーム駆動時にズームモータ５１が回転駆動されるとロングギヤ５４を介して回転枠１１が回転駆動され、レンズ鏡筒１の繰り出し、または、繰り込みが行われる。
【００５４】
フォーカス駆動ユニット６０は、前述したように円筒外周部左上に配置されており、図４，１２，１７に示すようにステップモータからなるフォーカスモータ６１と、ギヤケース蓋６２と、ガイド軸６５と、送リネジ６６と、ギヤ列６３と、ナット６４と、四群枠付勢バネ６７と、フォトインタラプタからなる原点検出器であるフォーカス原点検出用ＰＩ６８とからなる。
【００５５】
ギヤケース蓋６２は、固定枠１３の左上部に背面側から固着され、ギヤ列６３、光軸Ｏと平行なガイド軸６５、送リネジ６６の軸端を支持する。
【００５６】
フォーカスモータ６１は、固定枠１３に支持され、光軸Ｏと平行方向に沿った出力軸にギヤ列６３と噛合するピニオンが装着されている。
【００５７】
ガイド軸６５は、光軸Ｏと平行な方向に沿って配され、四群枠１２のガイド軸穴１２ａに摺動可能に嵌入し、その軸端部が固定枠１３とギヤケース蓋６２で支持される。
【００５８】
送リネジ６６は、フォーカスモータ６１によってギヤ列６３を介して駆動される。送リネジ６６には、ナット６４が螺合し、かつ、該ナット６４の後面に四群枠１２の送リネジ挿入穴１２ｂの端面部が当接している。ナット６４は、固定枠１３によって回転規制状態でガイドされる回転規制突起部を有している。
【００５９】
四群枠付勢バネ６７は、引張バネからなり、固定枠１３と四群枠１２間に懸架され、四群枠１２を前方に付勢し、ナット６４に四群枠１２の送リネジ挿入穴１２ｂの端面を当接させる。
【００６０】
ＰＩ６８は、固定枠１３に固着されており、四群枠１２のセンサ遮蔽片部１２ｄが内部を挿通可能とする。カメラの電源オン時に四群枠１２のセンサ遮蔽片部１２ｄの通過をＰＩ６８で検出し、四群枠１２のフォーカス原点位置情報がカメラ制御部（図示せず）に取り込まれる。
【００６１】
なお、ギヤケース蓋６２を含むフォーカス駆動ユニット６０の後端部は、固定枠１３の背面よりも後方側に突出しており、その突出部は、後述するブレ補正撮像ユニット９０のベース板１４上の左上隅の第三隅部１４ｄに設けられる切り欠き部に進入している。
【００６２】
フォーカス駆動ユニット６０においては、レンズ鏡筒１のフォーカシング駆動時、フォーカスモータ６１が回転駆動されると、送リネジ６６が回転駆動され、ナット６４が進退移動する。ナット６４に送リネジ挿入穴１２ｂの端面が当接した状態で四群枠１２は、光軸Ｏ方向に進退移動する。
【００６３】
ここで、レンズ鏡筒１の撮影光学系を構成する一、二、三、四群レンズについて説明すると、一群レンズ２１は、被写体側から順に被写体側に凸面を向けた負メニスカスレンズ２１ａと両凸正レンズ２１ｂの接合レンズからなり、ワイド端からテレ端まで、被写体側へ移動する。上記一群レンズ２１を適用することにより厚さ方向や径方向の小型化に有利としつつ、それぞれのレンズ同士が収差をキャンセルし合うことで一群レンズ２１における諸収差の補正に有利とし、ワイド化、高変倍比化した際の収差変動を抑えている。
【００６４】
二群レンズ２２は、被写体側から順に二群レンズ前群２２ａと、二群レンズ後群２２ｂ，２２ｃとからなる。二群レンズ前群２２ａは、被写体側に凸面を向けた負メニスカスレンズからなり、二群レンズ後群２２ｂ、２２ｃは、両凹負レンズと、被写体側に凸面を向けた正メニスカスレンズとからなる。
【００６５】
二群レンズ２２は、ワイド端から中間状態まで、一群レンズ２１との間隔を広げ、三群レンズ２３との間隔を狭めながら像面側に移動し、中間状態からテレ端まで、一群レンズ２１との間隔を広げ、三群レンズ２３との間隔を狭めながら被写体側に移動する。テレ端では、ワイド端の位置より被写体側に位置する。
【００６６】
三群レンズ２３は、被写体側から順に三群レンズ前群２３ａと、三群レンズ後群２３ｂとからなる。三群レンズ２３ａは、両凸正レンズからなり、三群レンズ後群２３ｂは、被写体側に凸面を向けた負メニスカスレンズからなる。この三群レンズ２３は、ワイド端からテレ端まで、被写体側へ移動する。
【００６７】
四群レンズ２４は、被写体側に凸面を向けた正メニスカスレンズ１枚からなる。この四群レンズ２４は、フォーカシング時に進退駆動され、さらに、ワイド端から中間状態まで、三群レンズ２３との間隔を広げながら被写体側に移動し、中間状態からテレ端まで、三群レンズ２３との間隔を広げながら若干像面側に移動する。テレ端では、ワイド端の位置より被写体側に位置する。
【００６８】
上述のように撮影光学系を構成することによりワイド端付近で接近する一群レンズ２１と二群レンズ２２との合成系が、被写体側から順に、正屈折力（一群レンズ２１）、負屈折力（二群レンズ前群２２ａ）、正屈折力（二群レンズ後群２２ｂ，２２ｃ）の対称的なパワー配置となる。
【００６９】
また、三群レンズ２３、四群レンズ２４の合成系においても、被写体側から順に、正屈折力（三群レンズ前群２３ａ）、負屈折力（三群レンズ後群２３ｂ）、正屈折力（四群レンズ２４）の対称的なパワー配置となる。
【００７０】
また、テレ端付近で近接する二群レンズ２２と三群レンズ２３との合成系が、被写体側から順に、負屈折力（二群レンズ前群２２ａ）、正屈折力（二群レンズ後群２２ｂ，２２ｃ）、正屈折力（三群レンズ前群２３ａ）、負屈折力（三群レンズ後群２３ｂ）の対称配置となる。
【００７１】
よって、ワイド端付近でのペッツバール和、コマ収差、倍率色収差、球面収差の補正、テレ端付近でのペッツバール和、コマ収差、倍率の色収差の補正を行いやすくなり、ワイド化、高変倍比化を行いやすくなる。また、第３レンズ群の主点を被写体よりにしやすくなり、変倍比も確保しやすい。
【００７２】
さらに、四群レンズ２４は、１つの正レンズ成分からなる構成とすることで、沈胴時の薄型化にも有利となる。四群レンズ２４は、主に射出瞳を像面から離す機能が主となるので、正の屈折力を低減できる。そのため、上述の構成とすることで小型、低コスト化に有利となる。
【００７３】
ブレ補正撮像ユニット９０は、固定枠１３の背面部に装着される可動撮像ユニットからなり、ベース部材であるベース板１４と、ベース板１４上にＸＹ平面のＹ方向に移動可能に支持されるＹ枠１５と、Ｙ枠１５上にＸＹ平面のＸ方向に移動可能に支持されるＸ枠１６と、Ｘ枠１６上に固着支持される撮像素子ユニット９５と、Ｘ駆動ユニット７０と、Ｙ駆動ユニット８０とからなる。
【００７４】
ベース板１４は、中央開口部１４ａを有し、前方から見た概略投影形伏が光軸Ｏ中心にしてその右下（図１１では左下）の第一隅部１４ｂと、右上（図１１では左上）の第二隅部１４ｃと、左上（図１１では右上）の第三隅部１４ｄと、左下（図１１では右下）の第四隅部１４ｅとを有する略矩形形状をなす枠部材であって、固定枠１３の背面部に固着されている。なお、ベース板１４を固定枠１３に固着する場合、レンズ鏡筒側の光軸Ｏに対してブレ補正撮像ユニット９０のＸＹ平面上の正確な位置決めをする必要があるので、ベース板１４側の位置決めピン穴１４ｆ，１４ｇ（図１１）を固定枠１３側の位置決めピンに嵌入した状態で両者を固定する。
【００７５】
なお、第三隅部１４ｄは、切り欠き部を有しており、その切り欠き部に前述したようにギヤケース蓋６２を含むフォーカス駆動ユニット６０の後端部が進入する。第四隅部１４ｅは、固定枠１３の外周に沿った状態の部材配置用逃げ部（例えば、円弧形状）になっている。該逃げ部は、レンズ鏡筒１が装着される上記デジタルカメラの三脚雌ネジ部を配置するための逃げ部となる。
【００７６】
Ｙ枠１５は、開口部１５ａを有する枠部材からなり、ベース板１４の中央開口部１４ａ内に配され、付勢バネにより付勢された状態で２本のガイド軸９１，９２によりＹ方向にスライド移動可能に支持されている。
【００７７】
Ｘ枠１６は、開口部１６ａを有する枠部材からなり、Ｙ枠１５の開口部１５ａ内に配され、付勢バネにより付勢された状態で２本のガイド軸９３，９４によりＸ方向にスライド移動可能に支持されている。
【００７８】
撮像素子ユニット９５は、撮像素子支持板９８と、ＦＰＣ（フレキシブルプリント基板）１０３に実装された状態で撮像素子支持板９８に固着され、ＣＣＤ、または、ＣＭＯＳ等からなる撮像素子９６と、撮像素子９６の前面側に配される光学的ローパスフィルタまたは赤外線カット吸収フィルタの光学フィルタ９７とを備えている。なお、近赤外シャープカットコートを上記光学的ローパスフィルタの表面に直接コーティングしてもよい。
【００７９】
撮像素子ユニット９５は、撮像素子支持板９８をＸ枠１６の背面側にビスにより固着し、撮像素子９６および光学フィルタ９７をＸ枠１６の開口部１６ａに配した状態でＸ枠１６に装着される。
【００８０】
Ｘ駆動ユニット７０は、ベース板１４の右上の第一隅部１４ｂの前面側に組み付けられ、固定枠１３の外周部のズーム駆動ユニット５０のギヤ列５３の後方位置に重なる状態で配置される（図１０）。このＸ駆動ユニット７０は、Ｘ駆動ユニット支持板７２と、ステップモータからなるＸ駆動モータ７１と、該Ｘ駆動モータ７１の出力軸のピニオンに噛合する中間ギヤ７３と、中間ギヤ７３が固着され、Ｘ方向に沿った送リネジ７４と、ナット７５と、Ｘ枠初期位置検出センサであるＰＩ（フォトインタラプタ）７６とからなる。
【００８１】
なお、ＰＩ（フォトインタラプタ）７６の位置検出器に代え、フォトリフレクタまたはホール素子と扁平な永久磁石の組み合わせによる初期位置検出を行う位置検出器に置き換えることも可能である。
【００８２】
ナット７５は、Ｘ枠１６に対して回転規制状態のもとで送リネジ７４に螺合し、Ｘ方向にスライド可能に支持されており、付勢バネの付勢力を受けてＸ枠１６のＵ字状切り欠き部１６ｂに当接している。従って、ブレ補正動作時にＸ駆動モータ７１が回転駆動されると送リネジ７４によってナット７５とＸ枠１６とがＸ方向に変位駆動される。
【００８３】
Ｙ駆動ユニット８０は、ベース板１４の第二隅部１４ｃの前面側に組み付けられ、固定枠１３の外周部のズームモータ５１の上方位置に配置される。このＹ駆動ユニット８０は、Ｙ駆動ユニット支持板８２と、ステップモータからなるＹ駆動モータ８１と、Ｙ駆動モータ８１の出力軸のピニオンに噛合する中間ギヤ８３と、中間ギヤ８３が固着され、Ｙ方向に沿った送リネジ８４と、ナット８５と、Ｙ枠初期位置検出センサであるＰＩ（フォトインタラプタ）８６とからなる。
【００８４】
ナット８５は、Ｙ枠１５に対して回転規制状態のもとで送リネジ８４に螺合し、Ｙ方向にスライド可能に支持されており、付勢バネの付勢力を受けてＹ枠１５のＵ字状切り欠き部１５ｂに当接している。従って、ブレ補正動作時にＹ駆動モータ８１が回転駆動されると送リネジ８４によってナット８５とＹ枠１５とがＹ方向に変位駆動される。
【００８５】
ブレ補正撮像ユニット９０において、手ブレ補正による撮像素子露光動作時、手ブレに応じてＹ枠１５およびＸ枠１６がＸＹ平面上を変位駆動されるが、該手ブレ補正動作終了後、また、デジタルカメラの電源スイッチオン直後、Ｉ８６およびＰＩ７６の出力信号に基づいてＹ枠１５およびＸ枠１６がそれぞれ初期中間位置に戻される。Ｙ枠１５およびＸ枠１６が上記初期中間位置にある状態では、撮像素子９６の受光面の中心位置が光軸Ｏと一致する。
【００８６】
なお、ブレ補正撮像ユニット９０にて、ベース板１４に対するＸ駆動ユニット７０およびＹ駆動ユニット８０の配置について、上述した配置に対して上下を逆にして、Ｘ駆動ユニット７０を第一隅部１４ｂに配置し、Ｙ駆動ユニット８０を第二隅部１４ｃに配置することも可能である。
【００８７】
また、上述したレンズ鏡筒１にて、ズームモータ５１、フォーカスモータ６１、Ｙ駆動モータ８１およびＸ駆動モータ７１の外装色を黒色、または、黒色以外の、例えば、シルバー色とし、固定枠１３およびベース板１４の外装色を黒色以外の色、例えば、シルバー色、または、黒色とする。このように構成部材とモータとの外装色を異ならせることによって組み立て工程中の組み付け状態を確認した状態で、例えば、ズームモータ５１、フォーカスモータ６１、Ｙ駆動モータ８１およびＸ駆動モータ７１の各モータが固定枠１３、ベース板14の上述した所定の位置に装着されていることを確認して、ベース板１４を固定枠１３に固定することができる。
【００８８】
次に、レンズ鏡筒１の各構成ユニットの電気制御要素と上記デジタルカメラの制御部との電気接続のためのＦＰＣ（フレキシブルプリント基板）の配置について、図２，１２〜１６を用いて説明する。
【００８９】
レンズ鏡筒１に備えられる電気接続用ＦＰＣは、ズーム、フォーカス駆動ユニット５０，６０、シャッタ・絞り制御ユニット８と上記カメラ側電気制御部との電気接続を行うためのＦＰＣ１０１と、Ｘ，Ｙ駆動ユニット７０，８０と上記カメラ側電気制御部との電気接続を行うためのＦＰＣ１０２と、撮像素子ユニット９５と上記カメラ側電気制御部との電気接続を行うためのＦＰＣ１０３からなる。
【００９０】
ＦＰＣ１０１は、ズームモータコネクタ部１０１ａと、フォーカスモータコネクタ部１０１ｂと、フォーカス位置検出用ＰＩコネクタ部１０１ｆと、フォーカスモータコネクタ部との接続延出部１０１ｃと、左方延出部１０１ｄと、カメラ電気制御コネクタ部１０１ｇと、シャッタ・絞り制御ユニット用ＦＰＣコネクタ部１０１ｅと、さらに、ズーム位置検出用ＰＩ用コネクタおよびＰＲ用コネクタを備えている（図２）。
【００９１】
ＦＰＣ１０１においては、図１０に示すように一端部に配されるズームモータコネクタ部１０１ａがズームモータ５１の端子部に接続される。また、ＦＰＣ１０１の左方延出部１０１ｄを固定枠１３の上部外周部に沿って左方向に延出させ、その中間で接続延出部１０１ｃにて分岐されたフォーカスモータコネクタ部１０１ｂがフォーカスモータ６１の端子部に接続される。左方延出部１０１ｄは、固定枠１３の上方外周を挿通後、後方に向けて分岐するＰＩコネクタ部１０１ｆがＰＩ６８に接続される。また、固定枠１３の上方外周を挿通後、分岐したシャッタ・絞り制御ユニット用ＦＰＣコネクタ部１０１ｅがシャッタ・絞り制御ユニット用ＦＰＣ（図示せず）に接続される。ＦＰＣ１０１は、固定枠１３の上方外周を左方に挿通後、左方向に延出するカメラ電気制御コネクタ部１０１ｇをカメラ電気制御部（図示せず）に接続される。
【００９２】
ＦＰＣ１０２は、Ｘモータコネクタ部１０２ａと、Ｙモータコネクタ部１０２ｂと、ＰＩコネクタ部１０２ｃ，１０２ｄと、側方延出部１０２ｅと、下方延出部１０２ｆと、カメラ電気制御コネクタ部１０２ｇとを備えている（図２）。
【００９３】
ＦＰＣ１０２においては、Ｙモータコネクタ部１０２ｂをＹ駆動モータ８１に接続し、ＰＩコネクタ部１０２ｄをＰＩ８６に、さらに、ＰＩコネクタ部１０２ｃをＰＩ７６接続後、側方延出部１０２ｅを固定枠１３の右側面外周に沿って挿通させ、さらに、Ｘモータコネクタ部１０２ａをＸ駆動モータ７１に接続後、下方延出部１０２ｆを固定枠下部外周に沿って挿通させる。そして、左方向に延出するカメラ電気制御コネクタ部１０２ｇがカメラ電気制御部（図示せず）に接続される。
【００９４】
ＦＰＣ１０３は、撮像素子実装接続部１０３ａと、撮像素子９６をＸＹ平面上の変位可能に支持するための中央スリットが付されたＶ状折り曲げ部１０３ｂと、カメラ電気制御コネクタ部１０３ｃとを備えている（図２）。
【００９５】
ＦＰＣ１０３においては、撮像素子９６に実装接続部１０３ａを接続後、ベース板１４のＦＰＣ折り曲げ部収納凹部１４ｆ（図６）に収納されるＶ状折り曲げ部１０３ｂを経てベース板１４の背面部を左方に挿通させ、左方向に延出するカメラ電気制御コネクタ部１０３ｃがカメラ電気制御部（図示せず）に接続される。
【００９６】
上述した構成を有する本実施形態のレンズ鏡筒１における沈胴動作、繰り出し動作、ブレ補正動作等について説明する。
【００９７】
レンズ鏡筒１は、図６に示す沈胴状態からの繰り出し動作によって図７、８に示す撮影可能なワイド状態、または、テレ状態にセットされる。詳しくは、上記カメラ側制御部の制御のもとでズームモータ５１が駆動され、回転枠１１が回転、かつ、繰り出し駆動される。その回転枠１１の回転、繰り出しにともなって、まず、バリアユニット３が開放状態になり、一群枠４、二群枠６、三群枠７、シャッタ・絞りユニット８がそれぞれ測距信号に基づいたズーム位置に移動する。また、測距信号に基づいてフォーカスモータ６１が駆動され、四群枠１２がフォーカス位置に繰り出され、レンズ鏡筒１は、撮影可能な状態となる。
【００９８】
また、ブレ補正撮影時には、撮像素子９６の露光を行うに際して、上記デジタルカメラ側の手ブレ検出センサで検出された手ブレ信号に基づき、上記デジタルカメラの制御部の制御のもとでＸ駆動モータ７１およびＹ駆動モータ８１が駆動され、それに応じてＹ枠１５およびＸ枠１６が変位し、撮像素子９６が手ブレを補正する方向に駆動される。手ブレ補正方向に駆動されるＸ枠１６上に配置された撮像素子９６より手ブレのない撮像信号が出力される。
【００９９】
レンズ鏡筒１において、上記撮影可能な状態から沈胴状態に繰り込む場合、ズームモータ５１、フォーカスモータ６１を駆動することによって各移動可能な枠部材を固定枠１３側に繰り込み、沈胴状態とする。その沈胴状態では移動可能な各枠部材は、それぞれが密着、または、密着に極めて近い状態になり、一群レンズ２２〜四群レンズ２３も互いに密着に近い状態になる。
【０１００】
特に一群枠４、二群枠６、三群枠７の間は、互いに接近した状態まで繰り込まれる。詳しくは、前述したように二群枠６のカムフォロア３９と嵌入するカム枠５のカム溝５ｃは、溝幅の異なるカム溝５ｃａとカム溝５ｃｂとからなっており、レンズ鏡筒１が上記沈胴状態にあるとき、カムフォロア３９は、嵌合隙間の大きいカム溝５ｃｂに嵌入する。
【０１０１】
従って、レンズ鏡筒１が繰り込まれ、沈胴状態にて二群枠６の前側にある一群枠４との間がそれらの部材の形状寸法のばらつきで互いに干渉するような状態になった場合でもカム溝５ｃｂに対してカムフォロア３９が少なくとも上記嵌合隙間分は、相対的に移動可能な状態である。二群枠６が円錐コイルバネ２１に付勢力に抗して後方の三群枠７側に上記の干渉した寸法分だけ移動可能である。これによってレンズ鏡筒１の沈胴動作が妨げられることなく沈胴を行うことができる。
【０１０２】
一方、前述したように沈胴状態では、シャッタ羽根２５と、絞り羽根２６とが開放位置に駆動されており、その開放開口部に三群レンズ２３の後部が進入し、シャッタ・絞りユニット８と三群枠７とがより密着に近い状態が得られ、同時に四群レンズ２４に極めて近接した状態とすることができる。さらに、撮影光学系として一群レンズ２１を２枚構成とし、四群レンズ２４を１つの正レンズ成分からなる構成とすることで密着状態の沈胴時の撮影光学系が占める光軸Ｏ方向長を短くすることができる。
【０１０３】
さらに、前述したようにレンズ鏡筒進退駆動のためのズーム駆動ユニット５０、フォーカス駆動ユニット６０、さらに、ブレ補正のためのＸ駆動ユニット７０、Ｙ駆動ユニットを固定枠１３の外周部およびベース板１４の隅部にデットスペースの生じないように配置することによってレンズ鏡筒１の光軸Ｏ方向の長さが増えることを抑えている。
【０１０４】
本実施形態のレンズ鏡筒１は、上述の理由により沈胴状態における光軸Ｏ方向の全長の短縮化が実現できる。具体的には、沈胴状態におけるレンズ鏡筒１のベース板１４の背面から固定枠１３の前端面までの寸法Ｌａを１７．５ｍｍとし、固定枠１３の前端面から一群枠４の前面側の飾り環３３の前面までの寸法Ｌｂを４ｍｍに抑え、レンズ鏡筒全長を２１．５ｍｍにすることができる。
【０１０５】
この発明は、上記各実施の形態に限ることなく、その他、実施段階ではその要旨を逸脱しない範囲で種々の変形を実施し得ることが可能である。さらに、上記各実施形態には種々の段階の発明が含まれており、開示される複数の構成要件における適宜な組合せにより種々の発明が抽出され得る。
【産業上の利用可能性】
【０１０６】
上述のように本発明のレンズ鏡筒、および、撮像装置は、沈胴状態における撮影レンズ光軸方向の長さの短縮化が可能なレンズ鏡筒、および、該レンズ鏡筒を適用する撮像装置として利用が可能である。
【符号の説明】
【０１０７】
４…一群枠（第一の枠部材）
５…カム枠（カム枠部材）
５ａ…カム溝（第一のカム溝）
５ｃ…カム溝（第二のカム溝）
６…二群枠（第二の枠部材）
７…三群枠（第三の枠部材）
１２…四群枠（第四の枠部材）
１３…固定枠（固定枠部材）
１４…ベース板（ベース部材）
１８…円錐コイルバネ（付勢部材）
２１…一群レンズ
（撮影光学系、第一のレンズ群）
２２…二群レンズ
（撮影光学系、第二のレンズ群）
２３…三群レンズ
（撮影光学系、第三のレンズ群）
２４…四群レンズ
（撮影光学系、第四のレンズ群）
３６…（第一のカムフォロア）
３９…（第二のカムフォロア）
９６…撮像素子
Ｏ  …光軸（撮影レンズ光軸）
【図１】
2010266679.tif 000003
【図２】
2010266679.tif 000004
【図３】
2010266679.tif 000005
【図４】
2010266679.tif 000006
【図５】
2010266679.tif 000007
【図６】
2010266679.tif 000008
【図７】
2010266679.tif 000009
【図８】
2010266679.tif 000010
【図９】
2010266679.tif 000011
【図１０】
2010266679.tif 000012
【図１１】
2010266679.tif 000013
【図１２】
2010266679.tif 000014
【図１３】
2010266679.tif 000015
【図１４】
2010266679.tif 000016
【図１５】
2010266679.tif 000017
【図１６】
2010266679.tif 000018
【図１７】
2010266679.tif 000019
【図１８】
2010266679.tif 000020
【図１９】
2010266679.tif 000021
【図２０】
2010266679.tif 000022
【図２１】
2010266679.tif 000023
【図２２】
2010266679.tif 000024
【図２３】
2010266679.tif 000025